(57)【特許請求の範囲】
【請求項１】
移動端末と複数の基地局とを有する無線通信システムにおいて前記移動端末が接続基地局から隣接基地局にハンドオーバするハンドオーバ方法であって、
前記移動端末において、前記隣接基地局に関する隣接基地局情報を前記接続基地局から受信する前に、前記接続基地局からの電波の電波強度が閾値より低いときに、隣接基地局情報未受信ハンドオーバであると判定する判定ステップと、
前記移動端末において、前記判定ステップが前記隣接基地局情報未受信ハンドオーバであると判定したとき、テーブルに記憶された周波数に基づいて接続可能な前記隣接基地局を探索する探索ステップと、
前記移動端末において、前記接続可能な隣接基地局から当該隣接基地局の識別情報を取得する識別情報取得ステップと、
前記移動端末において、前記取得した識別情報を含むハンドオーバ要求を前記接続基地局に送信するハンドオーバ要求送信ステップと、
前記ハンドオーバ要求を受信した前記接続基地局において、前記隣接基地局が前記接続基地局からどの程度サービスフローを引き継げるかの情報を示すサービスレベル情報を、ハンドオーバ応答に含めて前記移動端末に送信するハンドオーバ応答送信ステップと、
前記移動端末において、前記ハンドオーバ応答から前記サービスレベル情報を取得し、前記サービスレベル情報に基づいてハンドオーバ先を決定する決定ステップと、
を備えるハンドオーバ方法。
【請求項２】
前記判定ステップは、前記接続基地局からの電波強度から推定したセルの大きさと、前記移動端末の移動速度と、前記接続基地局から受信する前記隣接基地局情報の送信間隔とに基づいて、前記移動端末が前記隣接基地局情報を受信せずに前記接続基地局の前記セルの外に移動すると計算されるとき、前記隣接基地局情報未受信ハンドオーバであると判定する請求項１記載のハンドオーバ方法。
【請求項３】
さらに、前記移動端末において、前記接続基地局に対して前記移動端末へのフレームの送信を一時中断するよう要求する中断要求を送信する中断要求送信ステップを備え、
前記識別情報取得ステップは、前記中断要求により前記接続基地局から前記フレームの送信が中断しているときに、前記接続可能な隣接基地局から前記識別情報を取得する請求項１記載のハンドオーバ方法。
【請求項４】
前記移動端末において、前記判定ステップが前記隣接基地局情報未受信ハンドオーバであると判定したとき、前記接続基地局と前記フレームを送受信しつつ、前記識別情報取得ステップを行う請求項１記載のハンドオーバ方法。
【請求項５】
前記中断要求はスキャン要求またはスリープ要求である請求項３記載のハンドオーバ方法。
【請求項６】
前記識別情報取得ステップは、前記接続可能な隣接基地局からのフレーム構成情報を受信して、前記フレーム構成情報に含まれる当該接続可能な隣接基地局の前記識別情報を抽出することで前記識別情報を取得する請求項１記載のハンドオーバ方法。
【請求項７】
前記決定ステップは、前記サービスレベル情報から前記接続基地局とのサービスフローを最も多く引き継げ、かつ、電波強度の最も強い前記隣接基地局を前記ハンドオーバ先の基地局として決定する請求項１記載のハンドオーバ方法。
【請求項８】
接続基地局から隣接基地局にハンドオーバする移動端末において、
前記隣接基地局に関する隣接基地局情報を前記接続基地局から受信する前に、前記接続基地局からの電波の電波強度が閾値より低いときに、隣接基地局情報未受信ハンドオーバであると判定する隣接基地局情報未受信ハンドオーバ判定部と、
前記隣接基地局情報未受信ハンドオーバ判定部により前記隣接基地局情報未受信ハンドオーバであると判定されたとき、テーブルに記憶された周波数に基づいて接続可能な前記隣接基地局を探索するスキャン処理部と、
前記接続可能な隣接基地局から当該隣接基地局の識別情報を取得する識別情報取得部と、
前記取得した識別情報を含むハンドオーバ要求を前記接続基地局に送信し、前記隣接基地局が前記接続基地局からどの程度サービスフローを引き継げるかの情報を示すサービスレベル情報を含むハンドオーバ応答を前記接続基地局から受信して、前記サービスレベル情報に基づいてハンドオーバ先を決定するハンドオーバ処理部と、
を備える移動端末。
【請求項９】
移動端末と複数の基地局とを有する無線通信システムにおいて、
前記移動端末は、
前記隣接基地局に関する隣接基地局情報を前記接続基地局から受信する前に、前記接続基地局からの電波の電波強度が閾値より低いときに、隣接基地局情報未受信ハンドオーバであると判定する隣接基地局情報未受信ハンドオーバ判定部と、
前記隣接基地局情報未受信ハンドオーバ判定部により前記隣接基地局情報未受信ハンドオーバであると判定されたとき、テーブルに記憶された周波数に基づいて接続可能な前記隣接基地局を探索するスキャン処理部と、
前記接続可能な隣接基地局から当該隣接基地局の識別情報を取得する識別情報取得部と、
前記取得した識別情報を含むハンドオーバ要求を前記接続基地局に送信し、前記隣接基地局が前記接続基地局からどの程度サービスフローを引き継げるかの情報を示すサービスレベル情報を含むハンドオーバ応答を前記接続基地局から受信して、前記サービスレベル情報に基づいてハンドオーバ先を決定するハンドオーバ処理部とを備え、
前記接続基地局は、
前記ハンドオーバ応答に前記サービスレベル情報を含めて前記移動端末に送信するハンドオーバ応答送信部を備える無線通信システム。
【請求項１０】
隣接基地局に関する情報を間欠的に報知する基地局に無線接続している移動局が、該基地局から該隣接基地局に関する情報を受信する前に、該移動局について該基地局から他の基地局へハンドオーバ処理を実行する際の該移動局における処理方法において、
前記隣接基地局から送信される信号を受信して、該隣接基地局の識別情報を受信し、
該識別情報を該接続先の基地局に送信し、
該接続先の基地局から、該識別情報に対応する該隣接基地局に関する情報を受信し、
該隣接基地局に関する情報に基づいて、ハンドオーバ先を決定する、
ことを特徴する処理方法。
【発明の詳細な説明】
【技術分野】
【０００１】
本発明は、無線通信システムにおけるハンドオーバ方法、移動端末、及び無線通信システムに関する。
【背景技術】
【０００２】
移動端末向けの通信規格である「ＷｉＭＡＸ」では、基地局の切り替え手順（以下、ハンドオーバ）として、主に「Ｃｏｎｔｒｏｌｌｅｄ  ＨＯ」と「Ｕｎｃｏｎｔｏｒｌｌｅｄ  ＨＯ」の２つの種類を規定する（例えば、以下の非特許文献１）。
【０００３】
Ｃｏｎｔｒｏｌｌｅｄ  ＨＯは、移動端末（ＭＳ：Mobile Station）が移動する際に現在接続中の基地局（ＢＳ：Base Station）に対してネゴシエーションした上で基地局（ＢＳ）を切り替えるようにしたハンドオーバ手順である。
【０００４】
すなわち、移動端末（ＭＳ）はハンドオーバ先の隣接基地局（ＮＢＳ：Neighbor BS）を決定するとき、現在接続中の基地局（ＳＢＳ：Service BS）から隣接ＢＳ情報（ＭＯＢ＿ＮＢＲ‐ＡＤＶ）を定期的に受信し（例えば、３０秒間隔）、隣接情報に含まれる隣接基地局（ＮＢＳ）の識別情報（ＢＳＩＤ）に基づいて隣接基地局（ＮＢＳ）の電波強度を測定する。そして、移動端末（ＭＳ）は、隣接基地局（ＮＢＳ）の電波強度及びサービスレベル（ＳＬＰ：Service Level Prediction）に基づき、最終的にハンドオーバ先の隣接基地局（ＮＢＳ）を決定する。サービスレベルは、サービスフローの引継ぎ可否を示す情報、すなわち、ハンドオーバ先の基地局（ＢＳ）で現在のサービスフローを引き継ぐことが可能かどうかを示す情報であり、ＨＯ−ＲＥＱ／ＲＳＰシーケンスで接続基地局（ＳＢＳ）から得られるパラメータである。図１２はサービスレベル（ＳＬＰ）の例を示す図である。
【０００５】
一方、Ｕｎｃｏｎｔｒｏｌｌｅｄ  ＨＯは、移動端末（ＭＳ）がＣｏｎｔｒｏｌｌｅｄ  ＨＯ手順の完了前に接続基地局（ＳＢＳ）との通信が切れた場合の緊急リカバリ手順であり、接続基地局（ＳＢＳ）との間でＨＯシーケンスを行うことなく、電波強度から接続可能な基地局（ＢＳ）に接続するハンドオーバ手順である。Ｕｎｃｏｎｔｒｏｌｌｅｄ  ＨＯにおいて、移動端末（ＭＳ）は、ＨＯ−ＲＥＱ／ＲＳＰシーケンスを実行しないため、サービスレベルの情報を利用することはできない。
【０００６】
例えば、図１１に示すように、移動端末（ＭＳ）１００がある基地局（ＢＳ＃１）２００‐１にハンドオーバし、３０秒程度で当該基地局（ＢＳ＃１）２００‐１の通信可能範囲（セル）から抜けた場合を考える。
【０００７】
図１３はかかる動作のシーケンス例を示す図である。基地局（ＢＳ＃１）２００‐１は隣接ＢＳ情報（ＭＯＢ＿ＮＢＲ−ＡＤＶ）をブロードキャストする（Ｓ１０１）。しかし、移動端末（ＭＳ）１００は基地局（ＢＳ＃１）２００‐１とは未接続のため隣接ＢＳ情報を受信できない。
【０００８】
その後、移動端末（ＭＳ）１００は基地局（ＢＳ＃１）２００‐１のセル範囲に移動し、接続手順を実行する（Ｓ１０２）。移動端末（ＭＳ）１００は、基地局（ＢＳ＃１）２００‐１の電波強度が低下するとハンドオーバを行おうとするが、接続ＢＳ情報を受信していないため隣接基地局（ＮＢＳ）の識別情報がなくＨＯ−ＲＥＱ／ＲＥＰシーケンス（Ｓ１０３）を実行できない。移動端末（ＭＳ）１００は、電波強度に基づいて隣接基地局（ＢＳ＃２）２００‐２を見つけ、Ｕｎｃｏｎｔｒｏｌｌｅｄ  ＨＯを実施する（Ｓ１０４、Ｓ１０６〜Ｓ１０９）。
【０００９】
移動端末（ＭＳ）１００は、接続先の基地局（ＢＳ＃２）２００‐２からサービスレベルを引き継ぐことができない情報（「ＳＬＰ＝０」）を受信すると（Ｓ１０９）、接続先の基地局（ＢＳ＃２）との間で新しくサービスフローを再登録する（設定し直す）ためのシーケンスを実行する（Ｓ１１０〜Ｓ１１２）。
【非特許文献１】IEEE 802.16e-2005
【発明の開示】
【発明が解決しようとする課題】
【００１０】
しかしながら、Ｕｎｃｏｎｔｒｏｌｌｅｄ  ＨＯ手順が実行されても、接続先の基地局（ＢＳ＃２）２００‐２は、必ずしも接続元の基地局（ＢＳ＃１）２００‐１でのサービスフローを引き継げるとは限らない。一方、移動端末（ＭＳ）１００は、サービスフローを引き継げるか否かはハンドオーバした後でなければ確認できない（Ｓ１０６〜Ｓ１０９）。移動端末（ＭＳ）１００は、サービスフローを引き継げない情報（ＳＬＰ＝０）を得たとき、サービスフローの再登録を行うため（Ｓ１１０〜Ｓ１１２）、ハンドオーバに時間がかかる。
【００１１】
また、移動端末（ＭＳ）１００は、Ｃｏｎｔｏｒｏｌｌｅｄ  ＨＯにより、接続基地局（ＢＳ＃１）２００‐１との間でＨＯ−ＲＥＱ／ＲＥＳシーケンスを実行し（Ｓ１０３）、サービスレベルの情報を受信した場合でも、接続先の基地局（ＢＳ＃２）のサービスレベルがサービスフローを引き継げないとき（ＳＬＰ＝０のとき）には、サービスフローの再登録を行う。
【００１２】
このように、Ｕｎｃｏｎｔｒｏｌｌｅｄ  ＨＯの場合は、ハンドオーバ先の基地局（ＢＳ＃２）が接続元の基地局（ＢＳ＃１）との間で行っていたサービスフローを引き継げないと、移動端末（ＭＳ）１００はサービスフローの再登録を行う。このため、ハンドオーバに時間がかかるという問題がある。
【００１３】
そこで、本発明は上記問題点に鑑みてなされたものでその目的は、ハンドオーバ時間を短縮するようにした、無線通信システムにおけるハンドオーバ方法、移動端末、及び無線通信システムを提供することにある。
【課題を解決するための手段】
【００１４】
上記目的を達成するために、本発明の一実施態様によれば、移動端末と複数の基地局とを有する無線通信システムにおいて前記移動端末が接続基地局から隣接基地局にハンドオーバするハンドオーバ方法であって、前記移動端末において、前記隣接基地局に関する隣接基地局情報を前記接続基地局から受信せず、かつ、前記接続基地局からの電波の電波強度が閾値より低いときに、隣接基地局情報未受信ハンドオーバであると判定する判定ステップと、前記移動端末において、前記判定ステップが前記隣接基地局情報未受信ハンドオーバであると判定したとき、テーブルに記憶された周波数に基づいて接続可能な前記隣接基地局を探索する探索ステップと、前記移動端末において、前記接続可能な隣接基地局から当該隣接基地局の識別情報を取得する識別情報取得ステップと、前記移動端末において、前記取得した識別情報を含むハンドオーバ要求を前記接続基地局に送信するハンドオーバ要求送信ステップと、前記ハンドオーバ要求を受信した前記接続基地局において、前記隣接基地局が前記接続基地局からどの程度サービスフローを引き継げるかの情報を示すサービスレベル情報を、ハンドオーバ応答に含めて前記移動端末に送信するハンドオーバ応答送信ステップと、前記移動端末において、前記ハンドオーバ応答から前記サービスレベル情報を取得し、前記サービスレベル情報に基づいてハンドオーバ先を決定する決定ステップとを備える。
【００１５】
また、上記目的を達成するために、本発明の他の実施態様によれば、接続基地局から隣接基地局にハンドオーバする移動端末において、前記隣接基地局に関する隣接基地局情報を前記接続基地局から受信せず、かつ、前記接続基地局からの電波の電波強度が閾値より低いときに、隣接基地局情報未受信ハンドオーバであると判定する隣接基地局情報未受信ハンドオーバ判定部と、前記隣接基地局情報未受信ハンドオーバ判定部により前記隣接基地局情報未受信ハンドオーバであると判定されたとき、テーブルに記憶された周波数に基づいて接続可能な前記隣接基地局を探索するスキャン処理部と、前記接続可能な隣接基地局から当該隣接基地局の識別情報を取得する識別情報取得部と、前記取得した識別情報を含むハンドオーバ要求を前記接続基地局に送信し、前記隣接基地局が前記接続基地局からどの程度サービスフローを引き継げるかの情報を示すサービスレベル情報を含むハンドオーバ応答を前記接続基地局から受信して、前記サービスレベル情報に基づいてハンドオーバ先を決定するハンドオーバ処理部とを備える。
【００１６】
さらに、上記目的を達成するために、本発明の他の実施態様によれば、移動端末と複数の基地局とを有する無線通信システムにおいて、前記移動端末は、前記隣接基地局に関する隣接基地局情報を前記接続基地局から受信せず、かつ、前記接続基地局からの電波の電波強度が閾値より低いときに、隣接基地局情報未受信ハンドオーバであると判定する隣接基地局情報未受信ハンドオーバ判定部と、前記隣接基地局情報未受信ハンドオーバ判定部により前記隣接基地局情報未受信ハンドオーバであると判定されたとき、テーブルに記憶された周波数に基づいて接続可能な前記隣接基地局を探索するスキャン処理部と、前記接続可能な隣接基地局から当該隣接基地局の識別情報を取得する識別情報取得部と、前記取得した識別情報を含むハンドオーバ要求を前記接続基地局に送信し、前記隣接基地局が前記接続基地局からどの程度サービスフローを引き継げるかの情報を示すサービスレベル情報を含むハンドオーバ応答を前記接続基地局から受信して、前記サービスレベル情報に基づいてハンドオーバ先を決定するハンドオーバ処理部とを備え、前記接続基地局は、前記ハンドオーバ応答に前記サービスレベル情報を含めて前記移動端末に送信するハンドオーバ応答送信部を備える。
【００１７】
さらに、上記目的を達成するために、本発明の他の実施態様によれば、隣接基地局に関する情報を間欠的に報知する基地局に無線接続している移動局が、該基地局から該隣接基地局に関する情報を受信する前に、該移動局について該基地局から他の基地局へハンドオーバ処理を実行する際の該移動局における処理方法において、前記隣接基地局から送信される信号を受信して、該隣接基地局の識別情報を受信し、該識別情報を該接続先の基地局に送信し、該接続先の基地局から、該識別情報に対応する該隣接基地局に関する情報を受信し、該隣接基地局に関する情報に基づいて、ハンドオーバ先を決定する。
【発明の効果】
【００１８】
本発明によれば、ハンドオーバ時間を短縮するようにした、無線通信システムにおけるハンドオーバ方法、移動端末、及び無線通信システムを提供することができる。
【発明を実施するための最良の形態】
【００１９】
本発明を実施するための最良の形態について以下説明する。
【００２０】
図１は無線通信システム１の構成例を示す図である。無線通信システム１は複数の基地局（ＢＳ＃０〜ＢＳ＃３）１０‐０〜１０‐３と移動端末（ＭＳ）２０とを備える。図１は、移動端末（ＭＳ）２０が第０の基地局（ＢＳ＃０）１０‐０から第１の基地局（ＢＳ＃１）１０‐１に接続した後、例えば３０秒経過せずに第２の基地局（ＢＳ＃２）１０‐２のセル範囲に移動する例を示す。尚、点線は各基地局（ＢＳ＃０〜ＢＳ＃３）１０‐０〜１０‐３のセル範囲を示す。また、本実施例において、移動端末（ＭＳ）２０と基地局（ＢＳ＃０〜ＢＳ＃３）１０‐０〜１０‐３との間は、ＩＥＥＥ８０２．１６ｅの仕様に基づいて通信が行われる。
【００２１】
次に基地局（ＢＳ）１０と移動端末（ＭＳ）２０の構成例を説明する。図２は基地局（ＢＳ）１０、図３は移動端末（ＭＳ）２０の夫々構成例を示す図である。尚、図１の各基地局（ＢＳ＃０〜ＢＳ＃３）１０‐０〜１０‐３は図２の基地局（ＢＳ）１０と同一の構成である。
【００２２】
図２に示すように、基地局（ＢＳ）１０は、エア（Ａｉｒ）区間送受信処理部１１と、ネットワークエントリ（Ｎｅｔｗｏｒｋ  Ｅｎｔｒｙ）処理部１２と、ハンドオーバ（ＨＯ）処理部１３と、バックボーン送受信部１４、及び隣接ＢＳ情報広告部１５とを備える。
【００２３】
エア区間送受信処理部１１は、各処理部１２，１３，１５から出力された各種メッセージを電波に変換して移動端末（ＭＳ）２０に送信し、移動端末（ＭＳ）２０から電波を受信してメッセージを取り出し各処理部１２，１３，１５に出力する。
【００２４】
ネットワークエントリ処理部１２は、移動端末（ＭＳ）２０が基地局（ＢＳ）１０と接続するための登録手続きプロトコルを処理するための処理部である。ネットワークエントリ処理部１２は、移動端末（ＭＳ）２０と制御メッセージを交換するためにエア区間送受信処理部１１に制御メッセージを出力したり、移動端末（ＭＳ）２０からの制御メッセージをエア区間送受信処理部１１から受信する。また、ネットワークエントリ処理部１２は、登録手続き完了後も移動端末（ＭＳ）２０の存在を確認するため、定期的にメッセージを移動端末（ＭＳ）２０との間で交換する。
【００２５】
ハンドオーバ処理部１３は、移動端末（ＭＳ）２０との間でハンドオーバを開始した場合に、移動端末（ＭＳ）２０に送信するハンドオーバ用の制御メッセージをエア区間送受信処理部１１に出力したり、移動端末（ＭＳ）２０から送信されたハンドオーバ用の制御メッセージを、エア区間送受信処理部１１を介して受信する。また、ハンドオーバ処理部１３は、移動端末（ＭＳ）２０との間でハンドオーバを開始した場合、ハンドオーバ先の基地局に移動端末（ＭＳ）２０に関する情報（以下、コンテキスト）をバックボーン送受信部１４に出力する。さらに、ハンドオーバ処理部１３は、基地局（ＢＳ）１０がハンドオーバ先の基地局の場合、ネットワークエントリ処理部１２から移動端末（ＭＳ）２０が新しく登録されたことを通知されたとき接続基地局（ＳＢＳ）に移動端末（ＭＳ）２０のコンテキストの要求メッセージをバックボーン送受信部１４に出力する。
【００２６】
バックボーン送受信部１４は、他の基地局（ＢＳ）とバックボーンネットワークを介してメッセージを送受信する。
【００２７】
隣接ＢＳ情報広告部１５は、バックボーン送受信部１４を介して収集した他の基地局（ＢＳ）に関する情報（ＢＳＩＤなど）を含むメッセージ（以下、隣接ＢＳ情報）を、エア区間送受信処理部１１を介して送信する。
【００２８】
移動端末（ＭＳ）２０は、図３に示すように、エア区間送受信処理部２１と、隣接情報受信部２２と、隣接情報テーブル２３と、電波強度計算部２４と、ＢＳＩＤ検出部２５と、ＢＳＩＤテーブル２６と、ハンドオーバ（ＨＯ）処理部２７と、スキャン（ＳＣＡＮ）処理部２８と、隣接情報未受信ハンドオーバ（ＨＯ）判定部２９、及び周波数テーブル３０を備える。
【００２９】
エア区間送受信処理部２１は、接続した基地局（ＢＳ）１０からのフレームに同期してフレームの送受信を行うとともに、受信フレームの電波強度を測定する。また、エア区間送受信処理部２１は、各処理部２７，２８からの制御メッセージを電波に変換して基地局（ＢＳ）１０に送信したり、基地局（ＢＳ）１０から受信した制御メッセージを各処理部２２，２５等に出力する。
【００３０】
隣接情報受信部２２は、接続基地局（ＳＢＳ）１０が定期的に送信する隣接ＢＳ情報を、エア区間送受信処理部２１を介して受信し、隣接情報テーブル２３に記憶する。
【００３１】
隣接情報テーブル２３は、接続基地局（ＳＢＳ）１０から受信した隣接ＢＳ情報を記憶するテーブルである。
【００３２】
電波強度計算部２４は、エア区間送受信処理部２１が測定したフレームごとの電波強度から平均値を計算したり、電波強度の加工等を行う。
【００３３】
ＢＳＩＤ検出部２５は、基地局（ＢＳ）１０からＤＬ‐ＭＡＰを受信し、ＤＬ‐ＭＡＰに含まれるＢＳＩＤを検出する。ＢＳＩＤ検出部２５は、検出したＢＳＩＤをＢＳＩＤテーブル２６に出力する。
【００３４】
ＢＳＩＤテーブル２６は、ＢＳＩＤを格納するテーブルである。
【００３５】
ハンドオーバ処理部２７は、ハンドオーバが必要になった場合に接続基地局（ＳＢＳ）１０との間でＨＯ‐ＲＥＱ／ＲＳＰシーケンスを実行し、エア区間受信処理部２１にハンドオーバ先基地局（ＢＳ）１０への切り替えを指示する。
【００３６】
スキャン処理部２８は、接続基地局（ＳＢＳ）１０との間でスキャンメッセージ（ＳＣＮ‐ＲＥＱ／ＲＳＰメッセージなど）を交換し、エア区間送受信処理部２１へスキャン先の基地局へ切り替えを指示する。
【００３７】
隣接情報未受信ＨＯ判定部２９は、隣接情報テーブル２３に記憶された隣接ＢＳ情報と、電波強度計算部２４から出力された電波強度とから、隣接ＢＳ情報を受信しないままハンドオーバを行う（以下、隣接情報未受信ハンドオーバ）か否かを判定する。例えば、隣接情報未受信ＨＯ判定部２９は、隣接情報受信部２２が隣接ＢＳ情報を受信しておらず（隣接情報テーブル２３に隣接ＢＳ情報が記憶されず）、かつ、接続基地局（ＳＢＳ）１０の電波強度がハンドオーバを要する強度まで低下したことを検出したとき、隣接情報未受信ハンドオーバを行うと判定する。また、隣接情報未受信ハンドオーバ判定部２９は、隣接情報未受信ハンドオーバが必要を判定したときスキャン処理部２８に対してスキャン要求を送信するよう指示する。詳細は後述する。
【００３８】
周波数テーブル３０は、基地局（ＢＳ）１０の中心周波数を格納したテーブルである。例えば、スキャン処理部２８は隣接情報未受信ハンドオーバを実行するとき周波数テーブル３０から各基地局（ＢＳ）１０の中心周波数を読み出し順次スキャンする。
【００３９】
次に無線通信システム１の動作について説明する。本動作は、図４に示す隣接情報未受信ハンドオーバ検出フェーズと、図５に示すＢＳＩＤ検出フェーズと、図８に示すハンドオーバフェーズとが順次実行される。
【００４０】
尚、以下に示す動作は、図１に示すように移動端末（ＭＳ）２０が第０の基地局（ＢＳ＃０）１０‐０から第１の基地局（ＢＳ＃１）１０‐１にハンドオーバし、第１の基地局（ＢＳ＃１）１０‐１のセルを高速（例えば、約３０秒）で抜けて、第２の基地局（ＢＳ＃２）１０‐２にハンドオーバする場合の例で説明する。
【００４１】
図４に示すように、隣接情報未受信ハンドオーバ検出フェーズでは、第１の基地局（ＢＳ＃１）１０‐１は隣接ＢＳ情報を定期的にブロードキャストする（Ｓ１０１）。隣接ＢＳ情報広告部１５が、隣接ＢＳ情報としてＭＯＢ＿ＮＢＲ‐ＡＤＶメッセージを作成して、エア区間送受信処理部１１を介して定期的（例えば、３０秒）に送信する。移動端末（ＭＳ）２０は、この段階で第１の基地局（ＢＳ＃１）１０‐１と接続しておらず隣接ＢＳ情報を受信しない。
【００４２】
そして、移動端末（ＭＳ）２０は電波強度が低下し、第１の基地局（ＢＳ＃１）１０‐１の電波を検出すると（Ｓ１０）とネットワークエントリ手順を実行する（Ｓ１１）。例えば、第１の基地局（ＢＳ＃１）１０‐１のネットワークエントリ処理部１２と、移動端末（ＭＳ）２０のハンドオーバ処理部２７との間でエア区間送受信処理部１１，２１を夫々介してネットワークエントリ手順が実行される。
【００４３】
移動端末（ＭＳ）２０は、ネットワークエントリ手順を終了すると第１の基地局（ＢＳ＃１）１０‐１との間で接続を完了する（Ｓ１２）。
【００４４】
次いで、移動端末（ＭＳ）２０は、隣接ＢＳ情報の待ち受けを開始する（Ｓ１３）。
【００４５】
また、移動端末（ＭＳ）２０は、接続基地局（ＳＢＳ）である第１の基地局（ＢＳ＃１）１０‐１からの受信電波の電波強度を常に測定する（Ｓ１４，Ｓ１５）。
【００４６】
次いで、移動端末（ＭＳ）２０は、移動によって、第１の基地局（ＢＳ＃１）１０‐１からの電波強度の低下を検出する（Ｓ１６）。そして、移動端末（ＭＳ）２０は低下した電波強度がある閾値より低くなったことを検出すると、隣接ＢＳ情報の受信を確認することで、隣接情報未受信ハンドオーバを実行するか否かを判定する（Ｓ１７）。
【００４７】
かかる判定は以下のようにして行う。すなわち、電波強度の測定はエア区間送受信処理部２１で行い、電波強度計算部２４で電波強度の計算し、その結果を隣接情報未受信ハンドオーバ判定部２９に出力する。隣接情報未受信ハンドオーバ判定部２９は、電波強度が閾値より低くなったか否かを検出し、低くなったとき隣接情報テーブル２３にアクセスし隣接ＢＳ情報が記憶されているか否かを確認する。そして、隣接情報未受信ハンドオーバ判定部２９は、隣接ＢＳ情報が隣接情報テーブル２３に記憶されていないことを検出すると、隣接情報未受信ハンドオーバが必要と判定する。
【００４８】
移動端末（ＭＳ）２０は隣接情報未受信ハンドオーバが必要と判定したとき、ＢＳＩＤ検出フェーズに移行する（図５）。
【００４９】
ＢＳＩＤ検出フェーズでは、まず、移動端末（ＭＳ）２０はスキャン要求（ＭＯＢ＿ＳＣＮ‐ＲＥＱメッセージ）を第１の基地局（ＢＳ＃１）１０‐１に送信する（Ｓ１８）。これは、第１の基地局（ＢＳ＃１）１０‐１から移動端末（ＭＳ）２０に対してユーザデータの送信を一時的に中断させ、移動端末（ＭＳ）２０が他の基地局（ＢＳ＃２等）の電波強度を測定する時間を確保するためである。スキャン要求はスキャン処理部２８で生成され、エア区間送受信処理部２１を介して送信される。隣接情報未受信ハンドオーバ判定部２９は隣接情報未受信ハンドオーバが必要と判定したときにスキャン処理部２８にスキャン要求の送信を指示することで、スキャン処理部２８はスキャン要求を生成し送信する。尚、このスキャン要求には中断時間を含む。
【００５０】
第１の基地局（ＢＳ＃１）１０‐１はスキャン要求を受信すると、スキャン応答（ＭＯＢ＿ＳＣＮ‐ＲＳＰ）を移動端末（ＭＳ）２０に送信する（Ｓ１０２）。スキャン応答は、例えばハンドオーバ処理部１３からエア区間送受信処理部１１を介して送信される。
【００５１】
移動端末（ＭＳ）２０は、スキャン応答を受信すると、周波数テーブル３０を参照し、予め記憶された中心周波数に順次切り替える（Ｓ１９，Ｓ２３）。
【００５２】
図６は周波数テーブル３０の例を示す図である。周波数テーブル３０は中心周波数と、バンド幅と、実際の中心周波数値の各項目を有する。例えば、中心周波数「ＦＡ１」の項目では、バンド幅は「５」（ＭＨｚ）、実際の中心周波数は「２４９８．５」（Ｍｈｚ）である。本実施例では、中心周波数「ＦＡ１」は第１の基地局（ＢＳ＃１）１０‐１の中心周波数、「ＦＡ２」は第２の基地局（ＢＳ＃２）１０‐２の中心周波数、「ＦＡ３」は第３の基地局（ＢＳ＃３）１０‐３の中心周波数とする。
【００５３】
例えば、スキャン処理部２８がスキャン応答を受信して、その情報を隣接情報未受信ハンドオーバ判定部２９に出力し、隣接情報未受信ハンドオーバ判定部２９は、周波数テーブル３０から中心周波数（「２４９８．５Ｍｈｚ」など、以下では説明の容易のため項目「ＦＡ２」等を実際の中心周波数とする）を順次読み出す。そして、隣接情報未受信ハンドオーバ判定部２９は、周波数の切り替えを、スキャン処理部２８を介してエア区間送受信処理部２１に指示し、エア区間送受信処理部２１で周波数が切り替えられる。以下では、順次「ＦＡ２」、「ＦＡ３」と切り替えるものとする。
【００５４】
移動端末（ＭＳ）２０は、中心周波数を「ＦＡ２」に切り替え（Ｓ１９）、フレームのプリアンブル（Preamble）部分の電波強度を測定する。移動端末（ＭＳ）２０は、中心周波数「ＦＡ２」で電波強度が一定値以上の隣接基地局を検出して接続可能な隣接基地局を探索する。例えば、電波強度の測定と計算は夫々エア区間送受信処理部２１と電波強度計算部２４で行われ、隣接情報未受信ハンドオーバ判定部２９で接続可能な隣接基地局の探索が行われる。
【００５５】
移動端末（ＭＳ）２０は、中心周波数「ＦＡ２」で電波強度を測定した結果、第２の基地局（ＢＳ＃２）１０‐２を接続可能な隣接基地局とする（Ｓ２０）。
【００５６】
このとき、移動端末（ＭＳ）２０は第２の基地局（ＢＳ＃２）１０‐２に同期して（Ｓ２１）、ＤＬ‐ＭＡＰ（フレームの制御情報や、フレーム内におけるダウンリンク方向の各種メッセージ配置情報を示す情報）を受信し、ＤＬ‐ＭＡＰから第２の基地局（ＢＳ＃２）１０‐２のＢＳＩＤを取得する（Ｓ２２）。ＢＳＩＤ検出部２５は、ＤＬ‐ＭＡＰからＢＳＩＤを取得し、ＢＳＩＤテーブル２６に記憶する。移動端末（ＭＳ）２０は第２の基地局（ＢＳ＃２）１０‐２からのフレームを覗き見して、当該基地局１０‐２のＢＳＩＤを取得する。
【００５７】
次いで、移動端末（ＭＳ）２０は中心周波数を「ＦＡ３」に切り替え（Ｓ２３）、プリアンブル部分の電波強度を測定し、中心周波数「ＦＡ３」で電波強度が一定値以上の隣接基地局を検出する。移動端末（ＭＳ）２０は中心周波数「ＦＡ３」において第３の基地局（ＢＳ＃３）１０‐３の電波強度を検出したとする（Ｓ２４）。
【００５８】
移動端末（ＭＳ）２０は第３の基地局（ＢＳ＃３）１０‐３に同期して（Ｓ２５）、第３の基地局（ＢＳ＃３）１０‐３からフレームを受信する。そして、移動端末（ＭＳ）２０は、フレーム中に含まれるＤＬ‐ＭＡＰから、第３の基地局（ＢＳ＃３）１０‐３のＢＳＩＤを取得する（Ｓ２６）。ＢＳＩＤ検出部２５は取得したＢＳＩＤをＢＳＩＤテーブル２６に記憶する。移動端末（ＭＳ）２０は第３の基地局（ＢＳ＃３）１０‐３からのフレームを覗き見して当該基地局１０‐３のＢＳＩＤを取得する。
【００５９】
そして、移動端末（ＭＳ）２０は、周波数テーブル３０に記憶された中心周波数の分だけ切り替えが終わると、中心周波数を元の接続基地局（ＢＳ＃１）１０‐１に戻して接続を再開する（Ｓ２７）。例えば、隣接情報未受信ハンドオーバ判定部２９が周波数テーブル３０に記憶されたすべての周波数の探索が終了すると、スキャン処理部２８に対して元の接続基地局（ＢＳ＃１）１０‐１への切り替えを指示し、スキャン処理２８からの指示に基づきエア区間送受信処理部２１が周波数を接続基地局（ＢＳ＃１）１０‐１のものに切り替える。
【００６０】
図７はＢＳＩＤテーブル２６の例を示す図である。ＢＳＩＤテーブル２６は、ＢＳＩＤ、サービスレベル情報（ＳＬＰ：Service Level Prediction）、中心周波数、プリアンブルインデックス（Preamble Index）の各項目を有する。ＢＳＩＤテーブル２６に記憶されたＢＳＩＤは、ハンドオーバ候補の基地局の識別情報である。また、ＳＬＰはハンドオーバ先を決定するときに必要は情報であり、中心周波数とプリアンブルインデックスはハンドオーバ先を決めた後、実際にハンドオーバするときに必要な情報である。
【００６１】
尚、サービスレベル情報は後述するハンドオーバフェーズのとき（図８のＳ３１）にＢＳＩＤテーブル２６に記憶される。また、プリアンブルインデックスは基地局１０ごとに異なる識別情報を示し、プリアンブル測定（Ｓ１９，Ｓ２４）またはＤＬ‐ＭＡＰ受信（Ｓ２２，Ｓ２６）時にフレーム又はフレームのプリアンブルから取得する。
【００６２】
次いで、移動端末（ＭＳ）２０はハンドオーバフェーズに移行する（図８参照）。
【００６３】
ハンドオーバフェーズに移行すると、移動端末（ＭＳ）２０は接続基地局（ＢＳ＃１）１０‐１の電波強度を測定し、ハンドオーバのトリガ条件を満たすか否かを判定する（Ｓ２８，Ｓ２９）。ハンドオーバのトリガ条件は、例えば、接続基地局（ＢＳ＃１）１０‐１の電波強度が低下してその測定値が閾値αＨＯより小さいか否かである。エア区間送受信処理部２１が電波強度を測定し、例えば、隣接情報未受信ハンドオーバ判定部２９がトリガ条件を判定する。尚、隣接情報未受信ハンドオーバ判定部２９はトリガ条件を満たすまで本処理を繰り返す（Ｓ２９でｎｏのループ）。
【００６４】
そして、移動端末（ＭＳ）２０は、ハンドオーバトリガ条件を満たすと（Ｓ２９でＹｅｓ）、ハンドオーバ要求（ＭＯＢ＿ＭＳＨＯ‐ＲＥＱメッセージ）を接続基地局（ＢＳ＃１）１０‐１に送信する（Ｓ３０）。このとき、ハンドオーバ処理部２７は、ＢＳＩＤテーブル２６に記憶したＢＳＩＤを読み出してこのＢＳＩＤを要求に含めて送信する。
【００６５】
例えば、隣接情報未受信ハンドオーバ判定部２９がトリガ条件を満たすと判定するとハンドオーバ処理部２７にハンドオーバ要求の生成と送信を指示し、ハンドオーバ処理部２７はこの指示に基づいて当該要求を送信する。
【００６６】
接続基地局である第１の基地局（ＢＳ＃１）１０‐１は、ハンドオーバ要求を受信すると、当該要求に含まれるＢＳＩＤに基づいて、第２及び第３の基地局（ＢＳ＃２，ＢＳ＃３）１０‐２，１０‐３にバックボーンネットワーク経由でハンドオーバ要求（ＨＯ＿Ｒｅｑｕｅｓｔ）を送信する（Ｓ１０３，Ｓ１０４）。この要求には、自身が保持するコンテキストも含まれる。例えば、ネットワークエントリ手順（Ｓ１１）時に取得したＳＦＩＤ（サービスフローＩＤ）や、ＱｏＳ（Quality of Service）などの情報が含まれる。
【００６７】
第２及び第３の基地局（ＢＳ＃２，ＢＳ＃３）１０‐２，１０‐３は、ハンドオーバ要求を受信すると、ハンドオーバ要求に対する応答（ＨＯ＿Ｒｅｓｐｏｎｓｅ）をバックボーンネットワーク経由で接続基地局（ＢＳ＃１）１０‐１に送信する（Ｓ２０１，Ｓ３０１）。この応答には、各基地局（ＢＳ＃２，ＢＳ＃３）１０‐２，１０‐３が引き継ぎ可能なサービスフローを示すサービスレベル情報（ＳＬＰ）が含まれる。
【００６８】
第１の基地局（ＢＳ＃１）１０‐１は、隣接基地局（ＢＳ＃２，ＢＳ＃３）１０‐２，１０‐３から応答を受信すると、ハンドオーバ応答（ＭＯＢ＿ＢＳＨＯ‐ＲＳＰメッセージ）を移動端末（ＭＳ）２０に送信する（Ｓ１０５）。この応答には、各隣接基地局（ＢＳ＃２，ＢＳ＃３）１０‐２，１０‐３から受信したサービスレベル情報が含まれる。ハンドオーバ処理部１３がバックボーン送受信部１４を介して受信したサービスレベル情報を保持し、本処理でこの情報をハンドオーバ応答に含めるように生成し送信すればよい。
【００６９】
移動端末（ＭＳ）２０は、ハンドオーバ応答を受信してサービスレベル情報を取得する（Ｓ３１）。例えば、ハンドオーバ処理部２７で取得し、エア区間送受信処理部２１やＢＳＩＤ検出部２５を経由してＢＳＩＤテーブル２６に記憶される。図７に示すＢＳＩＤテーブル２６の「ＳＬＰ」の項目にサービスレベル情報が記憶される。
【００７０】
次いで、移動端末（ＭＳ）２０は、ＢＳＩＤテーブル２６を参照して、現在接続基地局（ＢＳ＃１）１０‐１との間で設定しているサービスフローを最も多く引き継げ、かつ、最も電波強度の強い隣接基地局をハンドオーバ先として決定する（Ｓ３２）。本処理は、上述したＣｏｎｔｒｏｌｌｅｄ  ＨＯと同じ処理である。
【００７１】
例えば、移動端末（ＭＳ）２０のハンドオーバ処理部２７がＢＳＩＤテーブル２６を参照して、ハンドオーバ先の基地局の中から最もＳＬＰの値が高い基地局（図７の例では、第２の基地局（ＢＳ＃２）１０‐２）をハンドオーバ先に決定する。
【００７２】
移動端末（ＭＳ）２０は、接続基地局（ＢＳ＃１）１０‐１にハンドオーバ先のＢＳＩＤを含むメッセージ（ＭＯＢ＿ＨＯ‐ＩＮＤ）を送信する（Ｓ３２）。
【００７３】
接続基地局（ＢＳ＃１）１０‐１は、ハンドオーバ先であることを第２の基地局（ＢＳ＃２）１０‐２にバックボーンネットワーク経由で通知する（Ｓ１０６）。
【００７４】
次いで、移動端末（ＭＳ）２０は中心周波数を第２の基地局（ＢＳ＃２）１０‐２に切り替える（Ｓ３３）。また、第２の基地局（ＢＳ＃２）１０‐２は、接続基地局（ＢＳ＃１）１０‐１がＭＯＢ＿ＢＳＨＯ‐ＲＳＰメッセージに予め指定したレンジングのタイミングで移動端末（ＭＳ）２０にレンジングを要求し（Ｓ２０２）、そのためＦａｓｔ  Ｒａｎｇｉｎｇ  ＩＥをＤＬ‐ＭＡＰに含めて移動端末（ＭＳ）２０に送信する。
【００７５】
以後、移動端末（ＭＳ）２０は第２の基地局（ＢＳ＃２）１０‐２との間でネットワークエントリを開始し（Ｓ３４）、レンジングメッセージ（ＲＮＧ‐ＲＥＱ，ＲＮＧ‐ＲＳＰ）等のメッセージの送受信を行う。そして、移動端末（ＭＳ）２０は第２の基地局（ＢＳ＃２）１０‐２との間でユーザデータが送受信でき、通信が再開される。
【００７６】
このように、本実施例では、移動端末（ＭＳ）２０が接続基地局（ＢＳ＃１）１０‐１との間で電波強度の低下を検出し、隣接ＢＳ情報を受信しなくても（ＭＯＢ＿ＮＢＲ‐ＡＤＶを受信しなくても）、中心周波数を切り替えて隣接基地局（ＢＳ＃２，ＢＳ＃３）１０‐２，１０‐３からＢＳＩＤを取得し（覗き見し）、以後移動端末（ＭＳ）２０は接続基地局（ＢＳ＃１）１０‐１との間でハンドオーバシーケンス（Ｓ３０からＳ３２の処理など）を実行する。移動端末（ＭＳ）２０は、通常のハンドオーバシーケンスの実行によりサービスレベル情報を取得できるため、ハンドオーバ候補の基地局（ＢＳ＃２，ＢＳ＃３）１０‐２，１０‐３の中からサービスフローを引き継ぐことが最適な基地局（ＢＳ＃２，ＢＳ＃３）１０‐２，１０‐３）を選択できる。中心周波数を切り替えた（Ｓ３３）後、Ｓ２０５の処理が終了してユーザデータが送受信できるまで間、サービスフローの再登録の処理（図１３のＳ１１０〜Ｓ１１２）がないため、その分、本実施例ではハンドオーバ時間の短縮を図ることができる。また、本実施例では、同様の理由で、ハンドオーバ処理の際の制御メッセージ量を削減し、エア帯域の使用を削減できる。
【００７７】
上述した例では、隣接情報未受信ハンドオーバを実行するときの判定基準は、移動端末（ＭＳ）２０が隣接ＢＳ情報を受信しておらず、かつ、接続基地局（ＢＳ＃１）１０‐１からの電波強度の低下を検出したときであった。それ以外にも、電波強度から接続基地局（ＢＳ＃１）１０‐１のセルの大きさｄと現在の移動速度ｖとに基づいて、移動端末（ＭＳ）２０が接続基地局（ＢＳ＃１）１０‐１のセル範囲から抜けると予想されるときに、隣接情報未受信ハンドオーバを実行するようにしてもよい。以下詳細に説明する。
【００７８】
一般に、移動端末（ＭＳ）２０の受信電力［Ｗ］をＰｒとすると、以下の関係が成り立つ。
【００７９】
【数１】
0005136090.tif 000002
ここで、Ａｅｒは移動端末（ＭＳ）２０の受信アンテナの実効面積（移動端末（ＭＳ）２０で固有の値）、Ｇｔは移動端末（ＭＳ）２０の送信アンテナの利得、Ｐｔ［Ｗ］は送信アンテナの供給電力、ｄ［ｍ］は基地局（ＳＢＳ）１０‐１から移動端末（ＭＳ）２０までの距離、を夫々示す。
【００８０】
また、実効輻射電力ＥＩＲＰ（Effective Isotropic Radiated Power）は、ネットワークエントリ処理（Ｓ１１）の際に接続基地局（ＳＢＳ）１０‐１からのＤＣＤメッセージに含まれており、一般に次の関係がある。
【００８１】
【数２】
0005136090.tif 000003
数２を数１に代入すると、基地局（ＳＢＳ）１０‐１のアンテナからの距離ｄは以下で示される。
【００８２】
【数３】
0005136090.tif 000004
ここで、受信電力Ｐｒの値として、セル境界において信号とノイズとが見分けがつかなくなる電力値「１０−１０ｍＷ（約−１００ｄＢｍ）」を代入する。このとき、Ａｅｒは固有値、ＥＩＲＰは接続基地局（ＳＢＳ）１０‐１から受信する値であるため、移動端末（ＭＳ）２０は、数３からセル境界の半径を推定できる。
【００８３】
一方、現在の移動速度ｖは、移動端末（ＭＳ）２０が搭載された車の速度メータ等から取得できる。また、次の隣接ＢＳ情報の広告時刻は、接続基地局（ＳＢＳ）１０‐１から受信したＤＬ‐ＭＡＰ（Ｓ１１など）にＢｒｏａｄｃａｓｔ  Ｃｏｎｔｒｏｌ  Ｐｏｉｎｔｅｒ  ＩＥが含まれ、この中に次の隣接ＢＳ情報（ＭＯＢ＿ＮＢＲ‐ＡＤＶ）の送信時刻（フレーム番号）が含まれる。
【００８４】
移動端末（ＭＳ）２０は、基地局毎に異なるＥＩＲＰから数３に基づいてセルの大きさを推定し、速度メータ等から移動速度を検出し、ＤＬ‐ＭＡＰに含まれる隣接ＢＳ情報の送信時刻から次の隣接ＢＳ情報が送信されるまでの時間を取得できる。
【００８５】
そして、例えば、移動端末（ＭＳ）２０は移動速度と次の隣接ＢＳ情報が送信されるまでの時間を積算して、次の隣接ＢＳ情報を受信するときの移動端末（ＭＳ）２０の位置を計算し、当該位置が推定したセルの大きさを超えると、セル範囲から外に出ると予想し、隣接情報未受信ハンドオーバを実行する。
【００８６】
移動端末（ＭＳ）２０が隣接情報未受信ハンドオーバを実行するか否かは、移動端末（ＭＳ）２０が接続基地局（ＳＢＳ）１０‐１から隣接ＢＳ情報を受信することなく、接続基地局（ＳＢＳ）１０‐１のセル範囲の外に出ることを検出等したときに行えばよい。上述した他の例は、セルの大きさｄと移動速度ｖと隣接ＢＳ情報の送信時刻とから判断している。
【００８７】
例えば、隣接情報受信部２２はＤＬ‐ＭＡＰから次の隣接ＢＳ情報の広告時刻を抽出して隣接情報テーブル２３に記憶する。また、電波強度計算部２４はネットワークエントリ時のＤＣＤメッセージで受信したＥＩＲＰの値からセルの大きさｄを計算する（推定する）。さらに、隣接情報未受信ハンドオーバ判定部２９は移動端末（ＭＳ）２０の速度を検出する。そして、隣接情報未受信ハンドオーバ判定部２９は、隣接情報テーブル２３から読み出した広告時刻と、電波強度計算部２４からのセルの大きさｄと、検出した移動速度とから、上記判定を行う。
【００８８】
また、上述した例では、移動端末（ＭＳ）２０はスキャン要求（ＭＯＢ＿ＳＣＮ‐ＲＥＱ）を送信して接続基地局（ＢＳ＃１）１０‐１とのフレームの送信を一時的に中断するようにした（Ｓ１８，Ｓ１０２）。例えば、移動端末（ＭＳ）２０は２つのエア区間送受信処理部を備え、一方で接続基地局（ＢＳ＃１）１０‐１と通信を継続し、他方で中心周波数を切り替えて隣接基地局（ＢＳ＃２，ＢＳ＃３）１０‐２，１０‐３のＢＳＩＤを取得するようにしてもよい。図１０はかかる場合の移動端末（ＭＳ）２０の構成例を示す図である。第１のエア区間送受信処理部２１‐１では中心周波数を切り替えて隣接基地局（ＢＳ＃２，ＢＳ＃３）１０‐２，１０‐３からＤＬ‐ＭＡＰを受信して、ＢＳＩＤ検出部２５がＢＳＩＤを取得する（覗き見する）。第２のエア区間送受信処理部２１‐２は接続基地局（ＢＳ＃１）１０‐１の中心周波数のまま継続して通信を行う。移動端末（ＭＳ）２０は接続基地局（ＢＳ＃１）１０‐１と通信を継続しつつ他の基地局（ＢＳ＃２，ＢＳ＃３）１０‐２，１０‐３から各々ＢＳＩＤを取得できる。
【００８９】
さらに、上述した例では、フレームの送受信を一時的に中断するために、スキャン要求（ＭＯＢ＿ＳＣＮ‐ＲＥＱ）を送信した。それ以外にも、例えば移動端末（ＭＳ）２０がスリープ要求を送信するようにしてもよい。接続基地局（ＢＳ＃１）１０‐１はこの要求を受信すると、移動端末（ＭＳ）２０がスリープモードに移行したこと検出し、フレームを一時的に送信しなくなるからである。
【００９０】
以上説明した実施例を１側面から捉えると、隣接基地局（ＢＳ＃２，ＢＳ＃３）１０‐２，１０‐３に関する情報を間欠的に報知する基地局（ＳｅｒｖｉｎｇＢＳ＃１）１０‐１に無線接続している移動局（ＭＳ）２０が、基地局（ＢＳ＃１）１０‐１から隣接基地局に関する情報を受信する前に、移動局（ＭＳ）２０について基地局（ＢＳ＃１）１０‐１から他の基地局へハンドオーバ処理を実行する際の移動局（ＭＳ）２０における処理方法において、隣接基地局（ＢＳ＃２，ＢＳ＃３）１０‐２，１０‐３から送信される信号を受信して、隣接基地局（ＢＳ＃２，ＢＳ＃３）１０‐２，１０‐３の識別情報（ＢＳＩＤ）を受信して、識別情報を接続先の基地局（ＢＳ＃１）１０‐１に送信し、接続先の基地局（ＢＳ＃１）１０‐１から、識別情報に対応する隣接基地局（ＢＳ＃２，ＢＳ＃３）１０‐２，１０‐３に関する情報を受信し、隣接基地局（ＢＳ＃２，ＢＳ＃３）１０‐２，１０‐３に関する情報に基づいて、ハンドオーバ先を決定するのである。
【００９１】
これによれば、間欠的に報知される隣接基地局（ＢＳ＃２，ＢＳ＃３）１０‐２，１０‐３に関する情報（例えば、隣接基地局がサービス可能な情報）を移動局（ＭＳ）２０が受信する前であっても、移動局（ＭＳ）２０は、隣接基地局（ＢＳ＃２，ＢＳ＃）１０‐２，１０‐３の識別情報を受信して、接続先の基地局（ＢＳ＃１）１０‐１から隣接基地局（ＢＳ＃２，ＢＳ＃３）１０‐２，１０‐３の情報を取得して、ハンドオーバ先の決定に用いることができる。好ましくは、隣接基地局（ＢＳ＃２，ＢＳ＃３）１０‐２，１０‐３は、その隣接基地局の識別情報を毎フレーム毎等といったように比較的頻繁に送信する。一方、その隣接基地局（ＢＳ＃２，ＢＳ＃３）１０‐２，１０‐３は、その隣接基地局に関する情報（例えば、その隣接基地局が提供するサービスの内容を示すサービス情報）は、識別情報に比べて比較的頻度少なく送信される。
【００９２】
言い換えると、移動局（ＭＳ）２０は、識別情報を取得後、対応する隣接基地局（ＢＳ＃２，ＢＳ＃３）１０‐２，１０‐３からその隣接基地局に関する情報を直接取得することも考えられる。しかし、本実施例にように接続基地局（ＢＳ＃１）１０‐１から隣接基地局（ＢＳ＃２，ＢＳ＃３）１０‐２，１０‐３に関する情報を取得する場合の方が、隣接基地局（ＢＳ＃２，ＢＳ＃３）１０‐２，１０‐３から直接取得する場合と比較して、処理を早くしてハンドオーバ時間を短縮できる。その理由は、移動局（ＭＳ）２０は、接続基地局（ＢＳ＃１）１０‐１の方が隣接基地局（ＢＳ＃２，ＢＳ＃３）１０‐２，１０‐３よりも距離が近いため、隣接基地局に関する情報を取得するのに時間がかからないからである。また、移動局（ＭＳ）２０は接続基地局（ＢＳ＃１）１０‐１に接続されていればよく、隣接基地局（ＢＳ＃２，ＢＳ＃３）１０‐２，１０‐３毎に中心周波数を切り替えて接続する必要がないからである。
【００９３】
以上まとめると付記のようになる。
【００９４】
（付記１）
移動端末と複数の基地局とを有する無線通信システムにおいて前記移動端末が接続基地局から隣接基地局にハンドオーバするハンドオーバ方法であって、
前記移動端末において、前記隣接基地局に関する隣接基地局情報を前記接続基地局から受信せず、かつ、前記接続基地局からの電波の電波強度が閾値より低いときに、隣接基地局情報未受信ハンドオーバであると判定する判定ステップと、
前記移動端末において、前記判定ステップが前記隣接基地局情報未受信ハンドオーバであると判定したとき、テーブルに記憶された周波数に基づいて接続可能な前記隣接基地局を探索する探索ステップと、
前記移動端末において、前記接続可能な隣接基地局から当該隣接基地局の識別情報を取得する識別情報取得ステップと、
前記移動端末において、前記取得した識別情報を含むハンドオーバ要求を前記接続基地局に送信するハンドオーバ要求送信ステップと、
前記ハンドオーバ要求を受信した前記接続基地局において、前記隣接基地局が前記接続基地局からどの程度サービスフローを引き継げるかの情報を示すサービスレベル情報を、ハンドオーバ応答に含めて前記移動端末に送信するハンドオーバ応答送信ステップと、
前記移動端末において、前記ハンドオーバ応答から前記サービスレベル情報を取得し、前記サービスレベル情報に基づいてハンドオーバ先を決定する決定ステップと、
を備えるハンドオーバ方法。
【００９５】
（付記２）
前記判定ステップは、前記接続基地局からの電波強度から推定したセルの大きさと、前記移動端末の移動速度と、前記隣接基地局情報の送信間隔とに基づいて、前記移動端末が前記隣接基地局情報を受信せずに前記接続基地局の前記セルの外に移動すると計算されるとき、前記隣接基地局情報未受信ハンドオーバであると判定する付記１記載のハンドオーバ方法。
【００９６】
（付記３）
さらに、前記移動端末において、前記接続基地局に対して前記移動端末へのフレームの送信を一時中断するよう要求する中断要求を送信する中断要求送信ステップを備え、
前記識別情報取得ステップは、前記中断要求により前記接続基地局から前記フレームの送信が中断しているときに、前記接続可能な隣接基地局から前記識別情報を取得する付記１記載のハンドオーバ方法。
【００９７】
（付記４）
前記移動端末において、前記判定ステップが前記隣接基地局情報未受信ハンドオーバであると判定したとき、前記接続基地局と前記フレームを送受信しつつ、前記識別情報取得ステップを行う付記１記載のハンドオーバ方法。
【００９８】
(付記５)
前記中断要求はスキャン要求またはスリープ要求である付記３記載のハンドオーバ方法。
【００９９】
（付記６）
前記識別情報取得ステップは、前記接続可能な隣接基地局からのフレーム構成情報を受信して、前記フレーム構成情報に含まれる当該接続可能な隣接基地局の前記識別情報を抽出することで前記識別情報を取得する付記１記載のハンドオーバ方法。
【０１００】
（付記７）
前記決定ステップは、前記サービスレベル情報から前記接続基地局とのサービスフローを最も多く引き継げ、かつ、電波強度の最も強い前記隣接基地局を前記ハンドオーバ先の基地局として決定する付記１記載のハンドオーバ方法。
【０１０１】
（付記８）
接続基地局から隣接基地局にハンドオーバする移動端末において、
前記隣接基地局に関する隣接基地局情報を前記接続基地局から受信せず、かつ、前記接続基地局からの電波の電波強度が閾値より低いときに、隣接基地局情報未受信ハンドオーバであると判定する隣接基地局情報未受信ハンドオーバ判定部と、
前記隣接基地局情報未受信ハンドオーバ判定部により前記隣接基地局情報未受信ハンドオーバであると判定されたとき、テーブルに記憶された周波数に基づいて接続可能な前記隣接基地局を探索するスキャン処理部と、
前記接続可能な隣接基地局から当該隣接基地局の識別情報を取得する識別情報取得部と、
前記取得した識別情報を含むハンドオーバ要求を前記接続基地局に送信し、前記隣接基地局が前記接続基地局からどの程度サービスフローを引き継げるかの情報を示すサービスレベル情報を含むハンドオーバ応答を前記接続基地局から受信して、前記サービスレベル情報に基づいてハンドオーバ先を決定するハンドオーバ処理部と、
を備える移動端末。
【０１０２】
（付記９）  
移動端末と複数の基地局とを有する無線通信システムにおいて、
前記移動端末は、
前記隣接基地局に関する隣接基地局情報を前記接続基地局から受信せず、かつ、前記接続基地局からの電波の電波強度が閾値より低いときに、隣接基地局情報未受信ハンドオーバであると判定する隣接基地局情報未受信ハンドオーバ判定部と、
前記隣接基地局情報未受信ハンドオーバ判定部により前記隣接基地局情報未受信ハンドオーバであると判定されたとき、テーブルに記憶された周波数に基づいて接続可能な前記隣接基地局を探索するスキャン処理部と、
前記接続可能な隣接基地局から当該隣接基地局の識別情報を取得する識別情報取得部と、
前記取得した識別情報を含むハンドオーバ要求を前記接続基地局に送信し、前記隣接基地局が前記接続基地局からどの程度サービスフローを引き継げるかの情報を示すサービスレベル情報を含むハンドオーバ応答を前記接続基地局から受信して、前記サービスレベル情報に基づいてハンドオーバ先を決定するハンドオーバ処理部とを備え、
前記接続基地局は、
前記ハンドオーバ応答に前記サービスレベル情報を含めて前記移動端末に送信するハンドオーバ応答送信部を備える無線通信システム。
【０１０３】
（付記１０）
隣接基地局に関する情報を間欠的に報知する基地局に無線接続している移動局が、該基地局から該隣接基地局に関する情報を受信する前に、該移動局について該基地局から他の基地局へハンドオーバ処理を実行する際の該移動局における処理方法において、
前記隣接基地局から送信される信号を受信して、該隣接基地局の識別情報を受信し、
該識別情報を該接続先の基地局に送信し、
該接続先の基地局から、該識別情報に対応する該隣接基地局に関する情報を受信し、
該隣接基地局に関する情報に基づいて、ハンドオーバ先を決定する、
ことを特徴する処理方法。
【０１０４】
（付記１１）
隣接基地局に関する情報を間欠的に放置する基地局に無線接続している移動局が、該基地局から該隣接基地局に関する情報を受信する前に、該移動局について該基地局から他の基地局へハンドオーバ処理を実行する際の該移動局において、
前記隣接基地局から送信される信号を受信して、該隣接基地局の識別情報を受信する識別情報受信部と、
該識別情報を該接続先の基地局に送信する送信部と、
該接続先の基地局から、該識別情報に対応する該隣接基地局に関する情報を受信する隣接基地局情報受信部と、
該隣接基地局に関する情報に基づいて、ハンドオーバ先を決定する決定部と、
を備えることを特徴とする移動局。
【０１０５】
（付記１２）
隣接基地局に関する情報を間欠的に報知する基地局に無線接続している移動局が、該基地局から該隣接基地局に関する情報を受信する前に、該基地局から他の基地局へハンドオーバ処理を実行するようになされた無線通信システムにおいて、
前記移動局は、
前記隣接基地局から送信される信号を受信して、該隣接基地局の識別情報を受信する識別情報受信部と、
該識別情報を該接続先の基地局に送信する送信部と、
該接続先の基地局から、該識別情報に対応する該隣接基地局に関する情報を受信する隣接基地局情報受信部と、
該隣接基地局に関する情報に基づいて、ハンドオーバ先を決定する決定部とを備え、
前記接続先の基地局は、
該移動局から送信された該識別情報に基づいて、該識別情報に対応する該隣接基地局に関する情報を送信する隣接基地局情報送信部を備える、
ことを特徴とする無線通信システム。
【図面の簡単な説明】
【０１０６】
【図１】図１は無線通信システムの構成例を示す図である。
【図２】図２は基地局の構成例を示す図である。
【図３】図３は移動端末の構成例を示す図である。
【図４】図４は隣接情報未受信ＨＯ検出フェーズのシーケンス例を示す図である。
【図５】図５はＢＳＩＤ検出フェーズのシーケンス例を示す図である。
【図６】図６は周波数テーブルの例を示す図である。
【図７】図７はＢＳＩＤテーブルの例を示す図である。
【図８】図８はＨＯフェーズのシーケンス例を示す図である。
【図９】図９はセルの大きさと移動速度との関係を示す概念図である。
【図１０】図１０は移動端末の他の構成例を示す図である。
【図１１】図１１は移動端末がセルを高速に通過するときの例を示す図である。
【図１２】図１２はＳＬＰの値の例を示す図である。
【図１３】図１３は移動端末が高速に移動する場合のＨＯシーケンスの例を示す図である。
【符号の説明】
【０１０７】
１：無線通信システム                  １０（１０‐０〜１０‐３）：基地局（ＢＳ）
１１：エア（Ａｉｒ）区間送受信処理部              
１２：ネットワークエントリ（Ｎｅｔｗｏｒｋ  Ｅｎｔｒｙ）処理部
１３：ハンドオーバ（ＨＯ）処理部      １４：バックボーン送受信部
１５：隣接ＢＳ情報広告部              ２０：移動端末（ＭＳ）
２１：エア区間送受信処理部            ２１‐１：第１のエア区間送受信処理部
２１‐２：第２のエア区間送受信処理部  ２２：隣接情報受信部
２３：隣接情報テーブル                ２４：電波強度計算部
２４‐１：第１の電波強度計算部        ２４‐２：第２の電波強度計算部
２５：ＢＳＩＤ検出部                  ２６：ＢＳＩＤテーブル
２７：ハンドオーバ（ＨＯ）検出部      ２８：スキャン（ＳＣＡＮ）処理部
２９：隣接情報未受信ハンドオーバ（ＨＯ）判定部
３０：周波数テーブル                  
ＭＳ：Ｍｏｂｉｌｅ  Ｓｔａｔｉｏｎ    ＢＳ：Ｂａｓｅ  Ｓｔａｔｉｏｎ
ＳＢＳ：接続基地局（Ｓｅｒｖｉｎｇ  ＢＳ）
ＮＢＳ：隣接基地局（Ｎｅｉｇｈｂｏｒ  ＢＳ）
【図１】
0005136090.tif 000005
【図２】
0005136090.tif 000006
【図３】
0005136090.tif 000007
【図４】
0005136090.tif 000008
【図５】
0005136090.tif 000009
【図６】
0005136090.tif 000010
【図７】
0005136090.tif 000011
【図８】
0005136090.tif 000012
【図９】
0005136090.tif 000013
【図１０】
0005136090.tif 000014
【図１１】
0005136090.tif 000015
【図１２】
0005136090.tif 000016
【図１３】
0005136090.tif 000017